(57)【要約】【課題】複数種類の電源に対して共用可能な制御部を備えた水栓システムを提供すること。【解決手段】本発明は、吐水口に至る給水路を開閉する電磁弁と、複数種類の電源に接続可能であって、接続された電源からの電力を利用して前記電磁弁を制御する制御部と、を備え、前記制御部は、当該制御部に電力が供給開始されるタイミングに基づいて当該電力の供給元である電源の種別を判別する判別部を有していることを特徴とする水栓システムである。【選択図】図６
2019027112.tif 000002
【特許請求の範囲】
【請求項１】
吐水口に至る給水路を開閉する電磁弁と、
複数種類の電源に接続可能であって、接続された電源からの電力を利用して前記電磁弁を制御する制御部と、
を備え、
前記制御部は、当該制御部に電力が供給開始されるタイミングに基づいて当該電力の供給元である電源の種別を判別する判別部を有している
ことを特徴とする水栓システム。
【請求項２】
前記判別部は、前記制御部に電力が供給開始されるタイミングと前記電磁弁の開閉状態とに基づいて、当該電力の供給元である電源の種別を判別するようになっている
ことを特徴とする請求項１に記載の水栓システム。
【請求項３】
前記判別部は、前記電磁弁の開又は閉が所定回数行われた後に、前記電力の供給元である電源の種別を判別するようになっている
ことを特徴とする請求項２に記載の水栓システム。
【請求項４】
人体を検出する人体感知センサ
を更に備え、
前記制御部は、前記人体感知センサの検出状態に基づいて、当該制御部に接続された電源からの電力を利用して前記電磁弁を制御するようになっている
ことを特徴とする請求項１に記載の水栓システム。
【請求項５】
前記判別部は、前記制御部に電力が供給開始されるタイミングと前記人体感知センサの検出状態とに基づいて、当該電力の供給元である電源の種別を判別するようになっている
ことを特徴とする請求項４に記載の水栓システム。
【請求項６】
前記判別部は、前記人体感知センサによる人体の感知又は非感知が所定回数行われた後に、前記電力の供給元である電源の種別を判別するようになっている
ことを特徴とする請求項５に記載の水栓システム。
【請求項７】
前記人体感知センサとは異なる第２センサ
を更に備え、
前記制御部は、前記第２センサの検出状態にも基づいて、前記電力の供給元である電源の種別を判別するようになっている
ことを特徴とする請求項４乃至６のいずれかに記載の水栓システム。
【請求項８】
前記判別部は、前記制御部に供給開始される電力の大きさ、電圧、及び、電流のうちの少なくとも１つに基づいて、前記電力の供給元である電源の種別を判別するようになっている
ことを特徴とする請求項１乃至７のいずれかに記載の水栓システム。
【請求項９】
人体を検出する人体感知センサ
を更に備え、
前記判別部は、前記制御部に電力が供給開始されるタイミングと前記電磁弁の開閉状態と前記人体感知センサの検出状態とに基づいて、当該電力の供給元である電源の種別を判別するようになっている
ことを特徴とする請求項２に記載の水栓システム。
【請求項１０】
前記電源から供給されるエネルギーを前記制御部に供給可能な電力に変換する電源回路部を更に備え、
前記電源回路部と前記制御部とは、分離している
ことを特徴とする請求項１乃至９のいずれかに記載の水栓システム。
【発明の詳細な説明】
【技術分野】
【０００１】
本発明は、様々な電源を利用することが可能な水栓システムに関する。
【背景技術】
【０００２】
従来より、様々な水栓システムが開発されている。そのうちの幾つかは、吐水される水の運動エネルギー（主には給水圧及び／または重力に基づく）を発電に利用している。
【０００３】
例えば、幾つかの洗面台における自動水栓システムは、人体感知センサが人の手を感知することによって吐水用の電磁弁が開放されるが、吐水される水の運動エネルギーを発電に利用できる。このような水栓システムは、本件出願人による特許文献１に開示されている。
【０００４】
また、幾つかの自動洗浄小便器は、人体感知センサが人の離反を感知することによって使用後の状態であると判断して吐水用の電磁弁が制御されるが、吐水される水の運動エネルギーを発電に利用できる。このような水栓システムは、本件出願人による特許文献２に開示されている。
【０００５】
また、幾つかの水洗便器は、人体感知センサが人の「手かざし」後の手の離反を感知することによって吐水用の電磁弁が制御されるが、やはり吐水される水の運動エネルギーを発電に利用できる。このような水栓システムは、例えば本件出願人による特許文献３及び特許文献４に開示されている。
【先行技術文献】
【特許文献】
【０００６】
【特許文献１】特開２０１２−  ７２６１９号公報
【特許文献２】特開２０１６−１０２３６５号公報
【特許文献３】特開２０１１−  ７４６１８号公報
【特許文献４】特開２０１５−  ５９３５７号公報
【発明の概要】
【発明が解決しようとする課題】
【０００７】
従来の水栓システムでは、電磁弁を制御するための制御部が、電源回路部（電力供給に関する回路部）と一体化されている。すなわち、利用する電源の種別に応じた電源回路部が特定されると共に、当該電源回路部の特性と整合するように制御部の仕様の詳細が設計されて一体的に実装されている。
【０００８】
ここで、複数種類の電源に対して共用可能な制御部を設計することができれば、当該制御部に関する各種コストを抑制することができると考えられる。本件発明者は、そのような可能性について鋭意検討を進めてきた。
【０００９】
本件発明者の検討によれば、ある程度の制御機能については共通化を実現することが可能であるが、幾つかの制御機能については電源の種別（特性）に応じた別々の態様を用意しておくことが好ましいことが知見された。
【００１０】
従って、複数種類の電源に対して共用可能な制御部を設計する場合、当該制御部に対する電力の供給元である電源の種別を判別する機能を備えることが重要である。
【００１１】
そして更に、本件発明者の検討によれば、制御部に電力が供給開始されるタイミングを捕捉することによって、当該制御部に対する電力の供給元である電源の種別を有効に判別することができることが知見された。
【００１２】
本発明は、以上のような知見に基づいてなされたものである。本発明の目的は、複数種類の電源に対して共用可能な制御部を備えた水栓システムを提供することである。
【課題を解決するための手段】
【００１３】
本発明は、吐水口に至る給水路を開閉する電磁弁と、複数種類の電源に接続可能であって、接続された電源からの電力を利用して前記電磁弁を制御する制御部と、を備え、前記制御部は、当該制御部に電力が供給開始されるタイミングに基づいて当該電力の供給元である電源の種別を判別する判別部を有していることを特徴とする水栓システムである。
【００１４】
本発明によれば、制御部に電力が供給開始されるタイミングに基づいて当該電力の供給元である電源の種別を判別する判別部を有していることにより、幾つかの制御機能については電源の特性に応じた別々の態様を用意しておくことが可能となる。
【００１５】
電源の種別に応じて別々の態様を用意しておくことが望ましい制御機能としては、本件発明者によれば、外部リモコンに対する通信ないし報知のタイミング制御や、メモリ等の記憶部に対するアクセス制御等が挙げられる（これらの制御は、発電の最中か、発電による充電回路（電源回路部の一部）の完了後に行われることが好ましい）。
【００１６】
好ましくは、前記判別部は、前記制御部に電力が供給開始されるタイミングと前記電磁弁の開閉状態とに基づいて、当該電力の供給元である電源の種別を判別するようになっている。
【００１７】
この場合、電源の判別において電磁弁の開閉状態をも考慮されることにより、電源の種別をより的確に判別することができる。
【００１８】
また、更にこの場合、前記判別部は、前記電磁弁の開又は閉が所定回数行われた後に、前記電力の供給元である電源の種別を判別するようになっていることが好ましい。
【００１９】
これによれば、水栓システムの動作が安定した状態で電源の判別がなされるため、電源の種別をより的確に判別することができる。
【００２０】
また、本発明による水栓システムは、人体を検出する人体感知センサを更に備え、前記制御部は、前記人体感知センサの検出状態に基づいて、当該制御部に接続された電源からの電力を利用して前記電磁弁を制御するようになっていることが好ましい。
【００２１】
更にこの場合、前記判別部は、前記制御部に電力が供給開始されるタイミングと前記人体感知センサの検出状態とに基づいて、当該電力の供給元である電源の種別を判別するようになっていることが好ましい。
【００２２】
これによれば、電源の判別において人体感知センサの検出状態をも考慮されることにより、電源の種別をより的確に判別することができる。
【００２３】
また、更にこの場合、前記判別部は、前記人体感知センサによる人体の感知又は非感知が所定回数行われた後に、前記電力の供給元である電源の種別を判別するようになっていることが好ましい。
【００２４】
これによれば、水栓システムの動作が安定した状態で電源の判別がなされるため、電源の種別をより的確に判別することができる。
【００２５】
また、本発明による水栓システムは、前記人体感知センサとは異なる第２センサを更に備え、前記制御部は、前記第２センサの検出状態にも基づいて、前記電力の供給元である電源の種別を判別するようになっていてもよい。
【００２６】
以上の各発明において、前記判別部は、例えば、前記制御部に供給開始される電力の大きさ、電圧、及び、電流のうちの少なくとも１つに基づいて、前記電力の供給元である電源の種別を判別するようになっている。
【００２７】
さらに、本発明は、吐水口に至る給水路を開閉する電磁弁と、複数種類の電源に接続可能であって、接続された電源からの電力を利用して前記電磁弁を制御する制御部と、人体を検出する人体感知センサと、を備え、前記判別部は、前記制御部に電力が供給開始されるタイミングと前記電磁弁の開閉状態と前記人体感知センサの検出状態とに基づいて、当該電力の供給元である電源の種別を判別するようになっていることを特徴とする水栓システムである。
【００２８】
これによれば、電源の判別において、制御部に電力が供給開始されるタイミングと電磁弁の開閉状態と人体感知センサの検出状態とが考慮されることにより、電源の種別をより的確に判別することができる。
【００２９】
また、前記電源から供給されるエネルギーを前記制御部に供給可能な電力に変換する電源回路部を更に備え、前記電源回路部と前記制御部とは、分離していることが好ましい。
【００３０】
これによれば、既に接続されている電源から、異なる電源に変更する場合であっても、制御部を何ら変更する必要がない。
【発明の効果】
【００３１】
本発明によれば、制御部に電力が供給開始されるタイミングに基づいて当該電力の供給元である電源の種別を判別する判別部を有していることにより、幾つかの制御機能については電源の特性に応じた別々の態様を用意しておくことが可能となる。
【図面の簡単な説明】
【００３２】
【図１】商用電源を電源として利用する態様での、本発明の一実施形態による水栓システムの概略ブロック図である。
【図２】水力発電機を電源として利用する態様での、本発明の一実施形態による水栓システムの概略ブロック図である。
【図３】太陽光発電機を電源として利用する態様での、本発明の一実施形態による水栓システムの概略ブロック図である。
【図４】風力発電機を電源として利用する態様での、本発明の一実施形態による水栓システムの概略ブロック図である。
【図５】電源回路部の詳細の一例を示すブロック図である。
【図６】判別部による判別方法の一例（第１形態）を示すフローチャートである。
【図７】判別部による判別方法の他の例（第２形態）を示すフローチャートである。
【図８】判別部による判別方法の他の例（第３形態）を示すフローチャートである。
【発明を実施するための形態】
【００３３】
次に、添付図面を参照して、本発明の一実施形態による水栓システムについて説明する。
【００３４】
図１乃至図４は、本発明の一実施形態による水栓システム１０の概略ブロック図である。図１は、商用電源を電源として利用する態様を示しており、水栓システム１０は、商用電源のコンセント２１に、商用電源用の電源回路部２２を介して制御部１２に接続されている。図２は、水力発電機を電源として利用する態様を示しており、水栓システム１０は、水力発電機３１に、水力発電機用の電源回路部３２を介して制御部１２に接続されている。図３は、太陽光発電機を電源として利用する態様を示しており、水栓システム１０は、太陽光発電機４１に、太陽光発電機用の電源回路部４２を介して制御部１２に接続されている。図４は、風力発電機を電源として利用する態様を示しており、水栓システム１０は、風力発電機５１に、風力発電機用の電源回路部５２を介して制御部１２に接続されている。
【００３５】
図１乃至図４に示すように、本実施形態の水栓システム１０は、洗面台の水栓システム（特許文献１参照）としても水洗便器の水栓システム（特許文献２〜４参照）としても利用できるものであり、吐水口に至る給水路を開閉する電磁弁１１と、複数種類の電源に（各種の電源回路部を介して）接続可能であって、接続された電源からの電力を利用して電磁弁１１を制御する制御部１２と、を備えている。
【００３６】
また、本実施形態の水栓システム１０は、人体を検出する人体感知センサ１３を更に備え、制御部１２は、人体感知センサ１３の検出状態に基づいて、制御部１２に接続された電源からの電力を利用して電磁弁１１を制御するようになっている。
【００３７】
そして、制御部１２は、当該制御部１２に電力が供給開始されるタイミングに基づいて当該電力の供給元である電源の種別を判別する判別部１２ｊを有している。また、本実施形態の制御部１２は、バックアップ用の電源として、バックアップ電池１５にも接続されている。
【００３８】
水力発電機用の電源回路部３２は、例えば図５に示すように、発電された電力の電圧の大きさを所定の電圧以下に制限する発電電圧制限回路と、電気二重層コンデンサ等の充電要素からなる充電回路と、ＤＣ／ＤＣコンバータ等からなる昇圧回路と、を有している。他の発電機用の電源回路部４２、５２も、電源回路部３２と概ね同様の回路からなる。商用電源用の電源回路部２２は、ＡＣ／ＤＣコンバータ等を含む電源回路が用いられる。このように、各種の電源回路部は、各種の電源から供給されるエネルギーを制御部１２に供給可能な電力に変換する役割を果たしている。
【００３９】
（判別フローの第１形態）
本実施形態の判別部１２ｊは、制御部１２に電力が供給開始されるタイミングと、電磁弁１１の開閉状態と、の両方を考慮して、当該電力の供給元である電源の種別を判別するようになっている。
【００４０】
具体的には、図６に示すように、まず、制御部１２に電力が供給開始されるタイミングについて、電磁弁が開放状態である（吐水中である）のか否かが判別される（ＳＴＥＰ１１）。
【００４１】
電磁弁が開放状態である（吐水中である）間に電力が供給開始されるのであれば（ＳＴＥＰ１１における「Ｙｅｓ」）、吐水の運動エネルギーを利用した発電がなされていると判断できるので、その場合の電源の種別は「水力発電機」であると判別できる。
【００４２】
電磁弁が開放状態である（吐水中である）間に電力が供給開始されない場合（ＳＴＥＰ１１における「Ｎｏ」）、吐水の運動エネルギーを利用した発電はなされていないと判断できるので、引き続いて、吐水状態によらないで電力が供給されているか否かが判別される（ＳＴＥＰ１２）。
【００４３】
吐水状態によらないで電力が供給されているのであれば（ＳＴＥＰ１２における「Ｙｅｓ」）、「水力発電機」とは異なる電源によって電力が供給されていると判別でき、引き続いて、当該電力の大きさが判別される（ＳＴＥＰ１３）。
【００４４】
閾値よりも大きい電力が供給されていれば（ＳＴＥＰ１３における「Ｙｅｓ」）、その場合の電源の種別は「商用電源」であると判別できる。一方、閾値未満の小さい電力が供給されていれば（ＳＴＥＰ１３における「Ｎｏ」）、その場合の電源の種別は「太陽光発電モジュール」または「風力発電モジュール」であると判別できる。
【００４５】
接続されている筈の電源から電力が供給されていない場合（ＳＴＥＰ１２における「Ｎｏ」）、何らかの故障ないし異常が想定されるが、本実施形態のようにバックアップ電池１５が設けられていれば（ＳＴＥＰ１４における「Ｙｅｓ」）、当該バックアップ電池１５を用いての縮退運転（節電モードでの運転）が実施される。本実施形態のようなバックアップ電池１５が設けられていない場合（ＳＴＥＰ１４における「Ｎｏ」）、水栓システム１０は安全に停止され、例えば異常を知らせる報知動作が実施される。
【００４６】
以上のように、本実施形態の水栓システム１０によれば、制御部１２に電力が供給開始されるタイミングに基づいて当該電力の供給元である電源の種別を判別する判別部１２ｊを有していることにより、幾つかの制御機能について電源の特性に応じた別々の態様を用意しておくことが可能である。
【００４７】
従って、例えば、外部リモコンに対する通信ないし報知のタイミング制御や、メモリ等の記憶部に対するアクセス制御等について、それぞれの電源に適した制御態様を選択実施することが可能となる。
【００４８】
また、本実施形態の水栓システム１０によれば、判別部１２ｊが、制御部１２に電力が供給開始されるタイミングと電磁弁１１の開閉状態との両方に基づいて当該電力の供給元である電源の種別を判別するようになっているため、電源の種別をより的確に判別することができる。
【００４９】
なお、図６の判別フローは、例えば水栓システム１０の初期設定時に、電磁弁１１の開又は閉が所定回数（例えば２回）行われた後に実施されることが好ましい。この場合、水栓システム１０の動作が安定した状態で電源の判別がなされるため、電源の種別をより的確に判別することができる。例えば、発電ユニット（発電式の電源）が接続される場合、初期設定時においては当該発電ユニットが安定動作していない可能性がある。具体的には、例えば水力発電ユニットにおいて、電源回路部にコンデンサなどの蓄電部がある場合、当該コンデンサへの充電が十分になされた状態で電源判別されることが望ましい。コンデンサへの充電量を溜めるには、複数回の吐水動作が必要で、そのためには、複数回の電磁弁動作が必要となる。
【００５０】
また、ＳＴＥＰ１３における判別対象は、電力の大きさの代わりに、電圧や電流であってもよいし、それらの組合せであってもよい。
【００５１】
（判別フローの第２形態）
また、本実施形態の判別部１２ｊは、制御部１２に電力が供給開始されるタイミングと、人体感知センサ１３の検出状態と、の両方を考慮して、当該電力の供給元である電源の種別を判別することも可能である。
【００５２】
具体的には、図７に示すように、まず、制御部１２に電力が供給開始されるタイミングについて、人体感知センサ１３が人体の感知中であるか否かが判別される（ＳＴＥＰ２１）。
【００５３】
人体感知センサ１３が人体の感知中である間に電力が供給開始されるのであれば（ＳＴＥＰ２１における「Ｙｅｓ」）、使用中且つ吐水中に発電がなされていると判断できるので、その場合の電源の種別は洗面台タイプの「水力発電モジュール」であると判別できる。
【００５４】
人体感知センサ１３が人体の感知中である間に電力が供給開始されない場合（ＳＴＥＰ２１における「Ｎｏ」）、人体感知センサ１３による人体の感知後に電力が供給開始されるか否かが判別される（ＳＴＥＰ２２）。
【００５５】
人体感知センサ１３による人体の感知後に電力が供給開始されるのであれば（ＳＴＥＰ２２における「Ｙｅｓ」）、使用後且つ吐水中に発電がなされていると判断できるので、その場合の電源の種別は洗浄便器タイプの「水力発電モジュール」であると判別できる。
【００５６】
人体感知センサ１３による人体の感知中及び感知後に電力が供給開始されないのであれば（ＳＴＥＰ２２における「Ｙｅｓ」）、吐水の運動エネルギーを利用した発電はなされていないと判断できるので、人体の検出状態によらないで（吐水状態によらないで）電力が供給されているか否かが判別される（ＳＴＥＰ２３）。
【００５７】
検出状態によらないで電力が供給されているのであれば（ＳＴＥＰ２３における「Ｙｅｓ」）、「水力発電機」とは異なる電源によって電力が供給されていると判別でき、引き続いて、当該電力の大きさが判別される（ＳＴＥＰ２４）。
【００５８】
閾値よりも大きい電力が供給されていれば（ＳＴＥＰ２４における「Ｙｅｓ」）、その場合の電源の種別は「商用電源」であると判別できる。一方、閾値未満の小さい電力が供給されていれば（ＳＴＥＰ２４における「Ｎｏ」）、その場合の電源の種別は「太陽光発電モジュール」または「風力発電モジュール」であると判別できる。
【００５９】
接続されている筈の電源から電力が供給されていない場合（ＳＴＥＰ２３における「Ｎｏ」）、何らかの故障ないし異常が想定されるが、本実施形態のようにバックアップ電池１５が設けられていれば（ＳＴＥＰ２５における「Ｙｅｓ」）、当該バックアップ電池１５を用いての縮退運転（節電モードでの運転）が実施される。本実施形態のようなバックアップ電池１５が設けられていない場合（ＳＴＥＰ２５における「Ｎｏ」）、水栓システム１０は安全に停止され、例えば異常を知らせる報知動作が実施される。
【００６０】
図７の判別フローによれば、判別部１２ｊが、制御部１２に電力が供給開始されるタイミングと人体感知センサ１３の検出状態との両方に基づいて当該電力の供給元である電源の種別を判別するようになっているため、電源の種別をより的確に判別することができる。
【００６１】
なお、図７の判別フローについても、例えば水栓システム１０の初期設定時に、人体感知センサ１３による人体の感知又は非感知が所定回数（例えば２回）行われた後に実施されることが好ましい。この場合、水栓システム１０の動作が安定した状態で電源の判別がなされるため、電源の種別をより的確に判別することができる。例えば、発電ユニット（発電式の電源）が接続される場合、初期設定時においては当該発電ユニットが安定動作していない可能性がある。具体的には、例えば水力発電ユニットにおいて、電源回路部にコンデンサなどの蓄電部がある場合、当該コンデンサへの充電が十分になされた状態で電源判別されることが望ましい。コンデンサへの充電量を溜めるには、複数回の吐水動作が必要で、そのためには、複数回の電磁弁動作が必要となる。
【００６２】
また、ＳＴＥＰ２４における判別対象についても、電力の大きさの代わりに、電圧や電流であってもよいし、それらの組合せであってもよい。
【００６３】
（判別フローの追加形態）
図６及び図７を用いて説明した各判別フローにおいて、追加的に、人体感知センサ１３とは異なる第２センサを用いて、当該第２センサの検出状態をも電源の判別に利用してもよい。第２センサとは、例えば、照度センサ、熱センサ、振動センサ、電磁センサ、等である。
【００６４】
照度センサが併用され、制御部１２に電力が供給開始されるタイミングで閾値以上の照度が検出されるならば、その場合の電源の種別は「太陽光発電モジュール」であると判別できる。
【００６５】
熱センサが併用され、制御部１２に電力が供給開始されるタイミングで閾値以上の温度が検出されるならば、その場合の電源の種別は「温度差発電モジュール」であると判別できる。
【００６６】
振動センサが併用され、制御部１２に電力が供給開始されるタイミングで閾値以上の振動が検出されるならば、その場合の電源の種別は「振動発電モジュール」であると判別できる。
【００６７】
電磁センサが併用され、制御部１２に電力が供給開始されるタイミングで閾値以上の電磁波が検出されるならば、その場合の電源の種別は「無線給電モジュール」であると判別できる。
【００６８】
このように、電源の判別に有効なセンサを利用することで、より詳細に電源の種別を判別することも可能である。
【００６９】
（判別フローの第３形態）
また、本実施形態の判別部１２ｊは、人体感知センサ１３の検出状態に加えて、電磁弁が開放状態である（吐水中である）のか否かを考慮して、当該電力の供給元である電源の種別を判別することも可能である。
【００７０】
具体的には、図８に示すように、人体感知センサ１３が人体の感知中である間に電力が供給開始される場合において（ＳＴＥＰ２１における「Ｙｅｓ」）、電磁弁が開放状態である（吐水中である）間に電力が供給開始されているのであれば（ＳＴＥＰ２１１における「Ｙｅｓ」）、使用中且つ吐水中に発電がなされていると判断できるので、その場合の電源の種別は洗面台タイプの「水力発電モジュール」であると判別できる。
【００７１】
また、図８に示すように、人体感知センサ１３が人体の感知中である間に電力が供給開始される場合において（ＳＴＥＰ２１における「Ｙｅｓ」）、電磁弁が開放状態である（吐水中である）間に電力が供給開始されていないのであれば（ＳＴＥＰ２１１における「Ｎｏ」）、その場合の電源の種別は「太陽光発電モジュール」または「風力発電モジュール」であると判別できる。
【００７２】
具体的には、感知中に電力供給されており、且つ、吐水中に電力供給されているのであれば、図７のフローチャートの場合よりも、洗面台タイプの水力発電と判別することの確実性をより高めることが可能となる。一方、感知中に電力供給されているが、吐水中には電力供給されていない場合、電源は水力発電ではないと判断できる。更に、電力供給されない状態が存在していることから、商用電源でもないと判断できる。そうなると、接続されている電源は、必然的に「太陽光発電モジュール」または「風力発電モジュール」であると判別できる。太陽光発電は光が無いときは発電できず、風力発電は風が無いときは発電できないことから、常に電力供給されている商用電源とは電源供給タイミングが異なる。
【００７３】
また、図８に示すように、人体感知センサ１３による人体の感知後に電力が供給開始される場合において（ＳＴＥＰ２２における「Ｙｅｓ」）、電磁弁が開放状態である（吐水中である）間に電力が供給開始されているのであれば（ＳＴＥＰ２２１における「Ｙｅｓ」）、使用中且つ吐水中に発電がなされていると判断できるので、その場合の電源の種別は洗浄便器タイプの「水力発電モジュール」であると判別できる。
【００７４】
また、図８に示すように、人体感知センサ１３による人体の感知後に電力が供給開始される場合において（ＳＴＥＰ２２における「Ｙｅｓ」）、電磁弁が開放状態である（吐水中である）間に電力が供給開始されていないのであれば（ＳＴＥＰ２２１における「Ｎｏ」）、その場合の電源の種別は「太陽光発電モジュール」または「風力発電モジュール」であると判別できる。
【００７５】
具体的には、感知後に電力供給されており、且つ、吐水中に電力供給されているのであれば、図７のフローチャートの場合よりも、洗浄便器タイプの水力発電と判別することの確実性をより高めることが可能となる。一方、感知後に電力供給されているが、吐水中には電力供給されていない場合、電源は水力発電ではないと判断できる。更に、電力供給されない状態が存在していることから、商用電源でもないと判断できる。そうなると、接続されている電源は、必然的に「太陽光発電モジュール」または「風力発電モジュール」であると判別できる。太陽光発電は光が無いときは発電できず、風力発電は風が無いときは発電できないことから、常に電力供給されている商用電源とは電源供給タイミングが異なる。
【００７６】
図８のフローチャートの他の部分は、図７のフローチャートと同様であるので、説明を省略する。
【００７７】
図８の判別フローによれば、判別部１２ｊが、制御部１２に電力が供給開始されるタイミングと、人体感知センサ１３の検出状態と、電磁弁が開放状態であるか否かと、に基づいて当該電力の供給元である電源の種別を判別するようになっているため、電源の種別をより的確に判別することができる。
【００７８】
（分離構成の効果）
なお、電源回路部と制御部とを分離した構成には、以下のような効果がある。すなわち、制御部に様々な電源を接続可能とした本発明の構成によれば、電源を変える場合であっても、制御部を何ら変更する必要がない。
【００７９】
例えば、風力発電ユニットから電源供給されている状態から、何らかの理由で、水力発電ユニットに電源を変更する場合について説明する。
【００８０】
仮に、電源回路部と制御部とが分離されておらず、一体的に構成されていた場合、水力発電ユニットに変更するためには、電源回路部と制御部とを一体的に変更する必要があり、交換作業に手間がかかり、作業コストも高い。これに対して、電源回路部と制御部とが分離されていれば、水力発電ユニットに変更するためには、電源回路部のみを交換すればよく、作業の手間を低減することができる。
【００８１】
更に、本発明による制御部には、各種の電源を判別できる機能が搭載されているので、制御部と電源とのマッチング確認やそのためのプログラム開発が不要であり、接続される電源（例えば水力発電ユニット）に最適な製品動作を常に保証することができる。将来新たに開発される電源に対してさえ、本発明による制御部は対応可能である。
【００８２】
なお、自動水栓という製品の特性上、負荷ユニットとして、人体感知センサと電磁弁とが標準的に備わっていることが多い。このため、電源を判別するパラメータとして、電力が供給開始されるタイミングに加えて、人体感知センサの状態と電磁弁の状態とを活用することで、電源判別を効果的に実施することができる。
【符号の説明】
【００８３】
１０    水栓システム
１１    電磁弁
１２    制御部
１２ｊ  判別部
１３    人体検知センサ
１５    バックアップ電池
２１    商用電源（コンセント）
２２    商用電源用の電源回路部
３１    水力発電機
３２    水力発電機用の電源回路部
４１    太陽光発電機
４２    太陽光発電機用の電源回路部
５１    風力発電機
５２    風力発電機用の電源回路部
【図１】
2019027112.tif 000003
【図２】
2019027112.tif 000004
【図３】
2019027112.tif 000005
【図４】
2019027112.tif 000006
【図５】
2019027112.tif 000007
【図６】
2019027112.tif 000008
【図７】
2019027112.tif 000009
【図８】
2019027112.tif 000010